(57)【要約】 【課題】床下収納ボックスの容積は小さいが、大量に収納でき、また昇降式であるが停電時も昇降できる床下収納装置を提供する。【解決手段】収納ボックス（１，２）は比較的小さいものを複数個用意する。そして、そのうちの１個だけを収納ボックス受枠（１９）上に載せて床上（４）へ駆動可能にする。他の収納ボックス（２）は、ガイドレール（４１、４１）に載せ待避格納する。駆動源には水道水で作動する水圧ピストンシリンダユニット（３０）を適用する。【選択図】    図１
2007002484.tif 000002
【特許請求の範囲】
【請求項１】
開閉自在の床蓋に対応した床下に設置されている枠体と、複数個の収納ボックスの少なくとも１個が載置され、そして前記枠体にガイドされて所定高さまで駆動される収納ボックス受枠と、この収納ボックス受枠を駆動する駆動装置とからなり、
前記枠体には、水平方向に延びたガイド部材が付属して設けられ、前記複数個の収納ボックスの、所定の収納ボックスは前記ガイド部材上に待避格納され、そして必要に応じて前記ガイド部材に案内されて前記収納ボックス受枠上に載置されるようになっており、
前記駆動装置は、水圧で作動するピストンシリンダユニットからなり、そのピストンロッドの伸縮により、前記収納ボックス受枠上に載置されている収納ボックスが、床部材の所定高さ位置まで駆動されることを特徴とする床下収納装置。
【請求項２】
請求項１に記載の床下収納装置において、収納ボックス受枠には複数個の移動ローラが設けられ、収納ボックスは前記移動ローラ上に乗って、該収納ボックス受枠と共に昇降駆動されるにようになっている、床下収納装置。
【請求項３】
請求項２に記載の床下収納装置において、ガイド部材には複数個の移動ローラが設けられ、これらのローラの高さは、収納ボックス受枠が下方位置にあるときの前記収納ボックス受枠の移動ローラと実質的に同じ高さ位置になっている、床下収納装置。
【請求項４】
請求項１〜３のいずれかの項に記載の床下収納装置において、駆動装置が水道水圧で作動するピストンシリンダユニットからなる、床下収納装置。
【請求項５】
請求項１〜３のいずれかの項に記載の床下収納装置において、駆動装置が空気、窒素ガス等の気体で作動するピストンシリンダユニットからなる、床下収納装置。
【発明の詳細な説明】
【技術分野】
【０００１】
本発明は、床下収納装置に関し、さらに詳しくは複数個の収納ボックスが床下に配置され、そして必要時に駆動装置により床上の所定高さまで駆動されるようになっている床下収納装置に関するもので、特に限定するものではないが駆動源に水道水圧を適用して好適な床下収納装置に関するものである。
【背景技術】
【０００２】
限られた屋内のスペースを広く利用するために、床下の空間に缶詰、乾物等の比較的保存が利く食料品が収納されている。このとき収納庫あるいは収納ボックスが利用される。ところで、床下の収納ボックスは、床面からかなり下方に位置しているので、その出し入れには多大の労力を必要とし、熟年者、身体に障害のある人等にとっては、必ずしも利用しやすい空間ではない。このような理由により、床下空間は比較的温度が安定し、食品の保存、発酵食品の保管等にも適しているが、有効に利用されているとはいえない。
【０００３】
【特許文献１】特開２００１−３５５７
【特許文献２】特開２０００−１３６６２６
【特許文献３】特開２０００−２７４２４
【０００４】
そこで、特許文献１〜３により昇降式の床下収納庫が提案されている。すなわち、特許文献１には収納品を収納する収納箱と、収納箱を昇降駆動する駆動装置と、収納箱の開口部を蓋する開閉蓋とからなる昇降式床下収納庫が示されている。また、特許文献２には、容器本体と、この容器本体を昇降自在に支持する支持枠とからなり、容器本体の下部の外周面に帯状の隙間隠し部材が設けられた昇降式床下収納庫が開示されている。さらには、特許文献３には枠体と内枠とからなり、内枠に収納容器を設置し、枠体をＸ字形アーム機構で支持し、このＸ字形アーム機構を電動モータによりワイヤーを介して伸縮させることにより、収納容器を昇降するようにして電動昇降式床下収納庫が示されている。
【発明の開示】
【発明が解決しようとする課題】
【０００５】
上記特許文献１〜３に示されている床下収納庫は、床下と床面との間を昇降するようになっているので、収納品の出し入れ時の労力の軽減にはなっているし、また色々な利点も認められる。例えば、特許文献１に記載の床下収納庫の収納箱には開閉蓋が設けられ、この開閉蓋は収納箱が上昇すると、それに連動して自動的に開くので、使い勝手の良い収納庫となっている。また、特許文献２に記載の容器本体の下部の外周部には帯状の隙間隠し部材が設けられているので、容器本体を床上に押し上げたとき、容器本体と床面との間の隙間が塞がれ、風の浸入が防止される効果があり、特許文献３に記載の床下収納庫は、Ｘ字形アーム機構で支持されているので、収納庫を水平に保って昇降できる利点は認められる。
【０００６】
しかしながら、改良すべき点あるいは問題点も認められる。例えば、床下の空間は収納容器の投影面積分だけの空間が利用されているに過ぎず、収納品の収納量に限りがある。床の高さは建物により一定しているので、収納量を増やすためには、収納容器の平面面積を広くする必要があるが、広くなると収納容器の蓋の面積も広くなる。そうすると、蓋は床の作用も奏するようになっているので強度上の問題が生じ、また床の意匠の問題も生じる。さらには、必要な少量の収納品を出し入れするたびに大量の収納品を昇降させなければならないという、問題もある。また、例えば特許文献３に記載の床下収納庫は、電動式になっているので、災害時のような停電時には昇降できないと欠点もある。このことは、災害用として備えた保存食品の収納には適していないことを意味している。
本発明は、上記したような問題点あるいは欠点を解決した昇降式床下収納装置を提供することを目的とし、具体的には収納ボックスの容積は小さいが、大量に床下に収納でき、また昇降式であるが停電時も昇降できる昇降式床下収納装置を提供することを目的としている。
【課題を解決するための手段】
【０００７】
本発明は、上記目的を達成するために、収納ボックスは比較的小さいものが複数個適用され、そして床下に水平方向に移動可能に設けられる。このような複数個の収納ボックスは、少なくとも一個が床上まで駆動され、他は待避するように構成される。そして、その駆動には水圧望ましくは水道水の圧力が利用される。
【０００８】
かくして、請求項１に記載の発明は上記目的を達成するために、開閉自在の床蓋に対応した床下に設置されている枠体と、複数個の収納ボックスの少なくとも１個が載置され、そして前記枠体にガイドされて所定高さまで駆動される収納ボックス受枠と、この収納ボックス受枠を駆動する駆動装置とからなり、前記枠体には、水平方向に延びたガイド部材が付属して設けられ、前記複数個の収納ボックスの、所定の収納ボックスは前記ガイド部材上に待避格納され、そして必要に応じて前記ガイド部材に案内されて前記収納ボックス受枠上に載置されるようになっており、前記駆動装置は、水圧で作動するピストンシリンダユニットからなり、そのピストンロッドの伸縮により、前記収納ボックス受枠上に載置されている収納ボックスが、床部材の所定高さ位置まで駆動されるように構成される。
請求項２に記載の発明は、請求項１に記載の床下収納装置において、収納ボックス受枠には複数個の移動ローラが設けられ、収納ボックスは前記移動ローラ上に乗って、該収納ボックス受枠と共に昇降駆動されるによう、請求項３に記載の発明は、請求項２に記載の床下収納装置において、ガイド部材には複数個の移動ローラが設けられ、これらのローラの高さは、収納ボックス受枠が下方位置にあるときの前記収納ボックス受枠の移動ローラと実質的に同じ高さ位置になるように、請求項４に記載の発明は、請求項１〜３のいずれかの項に記載の床下収納装置において、駆動装置が水道水圧で作動するピストンシリンダユニットからなるように、そして請求項５に記載の発明によると、請求項１〜３のいずれかの項に記載の床下収納装置において、駆動装置が空気、窒素ガス等の気体で作動するピストンシリンダユニットからなるように構成される。
【発明の効果】
【０００９】
以上のように、本発明によると、開閉自在の床蓋に対応した床下に設置されている枠体と、複数個の収納ボックスの少なくとも１個が載置され、そして前記枠体にガイドされて所定高さまで駆動される収納ボックス受枠と、この収納ボックス受枠を駆動する駆動装置とからなり、前記枠体には、水平方向に延びたガイド部材が付属して設けられ、前記複数個の収納ボックスの、所定の収納ボックスは前記ガイド部材上に待避格納され、そして必要に応じて前記ガイド部材に案内されて前記収納ボックス受枠上に載置されるようになっているので、すなわち複数個の収納ボックスが選択的に昇降されるようになっているので、個々の収納ボックスを小型化して、広い床下空間を有効利用して大量の収納品を収納できる。このように大量に収納できるにも拘わらず、床の開口面積は小さくてすむ。したがって、床蓋の重量、強度等の問題、意匠効果等の問題は生じ難い。また、本発明によると、駆動装置は水圧で作動するピストンシリンダユニットからなり、そのピストンの伸縮により、前記収納ボックス受枠上に載置されている収納ボックスが、昇降駆動されるようになっているので、災害時のように停電が続いて電動モータが作動しないときでもも、例えば給水タンク、貯湯タンク等の水圧を利用して収納ボックスを昇降させることができる。また、他の発明によると、駆動源に水道水の水圧が利用されるので、すなわち電気、都市ガス等に比較して復旧の早い水道水圧で収納ボックスが駆動されるので、災害時の食料品の貯蔵庫としても有効に利用できる。さらに他の発明によると、駆動源に空気、窒素ガス等の気体圧が利用されるので、使用後の気体を大気中へ逃すことができ、配管系が簡単になる効果が得られる。また、水道水等が得られないようなときにも、駆動できる利点も得られる。
【発明を実施するための最良の形態】
【００１０】
以下、本発明の実施の形態を図１、２により説明する。図１の（イ）は、収納ボックスの収納状態を示す断面図であるが、同図に示されているように、本実施の形態によると、複数個の収納ボックスとして、第１、２の２個のボックス１、２のみが示されている。そして、詳しくは後述するように第１の収納ボックス１は、収納ボックス受枠１９上に載置され上方へ駆動可能になっている。一方、第２の収納ボックス２は待避している。
【００１１】
以下、さらに詳しく説明する。図１の（イ）において、参照数字３は建造物の床下地面を示し、この床下地面３から所定高さ位置に床部材４が張られている。床地面３と床部材４との間が床下空間５を構成している。このような床下空間５を構成している床部材４の所定位置には開口部６が開けられ、この開口部６に床蓋７が開閉自在に設けられている。そして、開口部６の下方に、該開口部６の大きさおよび床下空間５の高さに対応した枠体１０が設けられている。
【００１２】
枠体１０は、図２に拡大して示されているように、床地面３上に載置される井桁状の下枠１１と、この下枠１１の４角から立ち上がっている４本の第１〜４の支柱１２〜１５と、第１、２の支柱１２、１３と、第３、４の支柱１４、１５とをそれぞれ結合している上枠１６、１７からなっている。第１、４の支柱１２、１５の間隔および第２、３の支柱１３、１４の間隔は、収納ボックス１、２の幅よりも大きい。したがって、収納ボックス１、２はこれらの支柱１２、１５および１３，１５の間を通って枠体１０内へ出入り自在である。このように構成されている枠体１０内に収納ボックス受枠１９が昇降自在に設けられている。収納ボックス受枠１９も、図２には示されていないが、井桁状に構成され、その両サイドの枠体には複数個の移動ローラ１８、１８、…が取り付けられている。
【００１３】
この収納ボックス受枠１９は、第１あるいは第２の収納ボックス１、２を載せて上下方向に駆動されるもので、その４角の吊具には吊り上げ用の合成繊維、金属等の紐状体からなる第１〜４のワイヤー２１〜２４の始端が取り付けられている。一方、第１、４の支柱１２、１５の上部には、図２の（ロ）に示されているように吊り上げ用のダブル滑車２７、２７が設けられている。ダブル滑車２７、２７を構成している駆動滑車２５と従動滑車２６は、同じ径で同期して回転する。したがって、第１、２のワイヤー２１、２２および第３、４のワイヤー２３、２４は同じ速度で引き上げられることになる。これに対し、第２、３の支柱１３、１４の上部には同様に吊り上げ用のシングル滑車２８、２８が設けられている。また、下枠１１の、ダブル滑車２７、２７に対応した位置には方向変換用の滑車２９、２９が設けられている。
【００１４】
第１および第４のワイヤー２１、２４は、従動滑車２６、２６に掛け回され、そして図２には示されていないが、錘が吊り下げられている。したがって、第１、４のワイヤー２１、２４と従動滑車２６、２６との間には所定の摩擦力が生じ、駆動滑車２５、２５が駆動されると、収納ボックス受枠１０は従動滑車２６、２６により同期して吊り上げられることになる。あるいは、第１、４のワイヤー２１、２４は、従動滑車２６、２６に掛け回されてから、第２、３のワイヤー２２、２３にそれぞれ合体されている。これにより、第２、３のワイヤー２２、２３が駆動されるときは、第１、４のワイヤー２１、２４も駆動されることになる。第２および第３のワイヤー２２、２３は、それぞれのシングル滑車２８、２８およびダブル滑車２７、２７の駆動滑車２５、２５に掛け回され、そしてそれぞれの方向変換用の滑車２９を経て後述する水圧ピストンシリンダユニット３０のピストンロッド３１に取り付けられている。
【００１５】
収納ボックス受枠１９を吊り上げる駆動装置は、水圧ピストンシリンダユニット３０からなっている。水圧ピストンシリンダユニット３０は、従来周知のように円筒状のシリンダと、このシリンダ内で往復動的に駆動されるピストンとからなり、そのピストンロッド３１の先端部に第２、３のワイヤー２２、２３が固定的に取り付けられている。この水圧ピストンシリンダユニット３０のピストンヘッド室のポート３２とロッド室のポート３３には、図２には示されていないが、ホースがそれぞれ接続され、これらのホースは方向切替弁を介して水道栓に接続されている。このように構成されている水圧ピストンシリンダユニット３０は、架台３４上に固定されている。
【００１６】
上記のように構成されている枠体１０は、図１の（イ）に示されているように、床部材４の開口部６に対応した位置に設置されている。そして、この枠体１０の両側には、複数個の移動ローラ４０、４０、…が設けられているガイドレール４１、４１が敷設してある。ガイドレール４１、４１は、第１、２の収納ボックス１、２の底板８が乗るような幅に平行に配置されている。また、移動ローラ４０、４０、…の高さは、収納ボックス受枠１９の移動ローラ１８、１８、…と略同じ高さになっている。したがって、第１、２の収納ボックス１、２は、ガイドレール４１、４１の移動ローラ４０、４０、…上と収納ボックス受枠１９の移動ローラ１８、１８、…上を、図１の（イ）において大きな矢印で示されているように左右方向に移動自在である。
【００１７】
次に、上記実施の形態の作用について説明する。第１、２の収納ボックス１，２は、例えば図１の（イ）に示されているような位置になっていると仮定する。すなわち、第２の収納ボックス２は、所定の物品が収納された後、ガイドレール４１、４１に案内されて待避している。一方、第１の収納ボックス１は物品が収納され床下空間５に位置している。今、第１の収納ボックス１の物品を取り出すときは、水圧ピストンシリンダユニット３０のピストンヘッド室に圧力水例えば水道水を供給する。そうすると、第１〜４のワイヤー２１〜２４により収納ボックス受枠１９は第１の収納ボックス１を載せて、床部材４の所定高さまで駆動される。このような駆動段階の各状態が図１の（ロ）、（ハ）に示されている。床蓋７を外して必要な物品を取り出す。あるいは入れる。そうして、切替弁を切り換えてピストンロッド室に水道水を供給する。あるいは、ピストンヘッド室を解放する。そうすると、第１の収納ボックス１は自重により、図１の（イ）に示されている位置へ下降する。
【００１８】
第２の収納ボックス２を出し入れするときは、第１の収納ボックス１を、例えば手動により図１の（イ）において左方へストッパ４２に当接するまで押す。第１の収納ボックス１は、ガイドレール４０の移動ローラ４０、４０、…に案内されて待避する。第２の収納ボックス２をカギのような引っ張り具で引き寄せ、収納ボックス受枠１９上に載せる。以下同様にして、収納ボックス受枠１９を駆動し、物品を収納し、そして取り出す。
【００１９】
本発明は、色々な形で実施できる。例えば、貯湯タンク、給水タンク等が備わっているときは、切替弁を別に設けておき、必要時にこれらのタンクの方へ切り換えるように実施することもできる。また、リンク機構により収納ボックス受枠１９を上下できることは明らかである。さらには、図１の（イ）に示されている実施の形態では、ガイドレールは枠体１０を挟んで左右に２本宛て設けられているが、枠体１０を中心にして３本以上設け、３個以上の収納ボックスを出し入れするように実施することもでる。また、上記実施の形態ではピストンシリンダユニットは、水道水等の液体圧で作動するようになっているが、液体圧に代えて空気、窒素ガス等の気体圧で駆動するように実施することもできる。窒素ガスで実施するときは、ガスボンベを用意しておくことにもなるが、空気で実施するときは手動的にも駆動できる例えば往復動ポンプを適用することもできる。このように実施するときは、液体と気体とを使い分けするために、切替弁により液体源と気体源とに選択的に切り替えるように実施することもできる。
【図面の簡単な説明】
【００２０】
【図１】本発明の実施の形態に係わる収納ボックスの収納状態を示す図で、その（イ）は１個の収納ボックスは昇降できる状態で、別のボックスは格納待避状態で、その（ロ）は１個の収納ボックスが駆動されている途中の段階を、そしてその（ハ）は床上の所定位置へ駆動された状態をそれぞれ模式的に示す断面図である。
【図２】本発明の係わる枠体の実施の形態を示す斜視図である。
【符号の説明】
【００２１】
１      第１の収納ボックス              ２    第２の収納ボックス
４      床部材                        １０    枠体
１９      収納ボックス受枠           
１２〜１５    第１〜４の支柱
２１〜２４    第１〜４のワイヤー      
３０          水圧ピストンシリンダユニット 
４０          ローラ                    ４１    ガイドレール
【図１】
2007002484.tif 000003
【図２】
2007002484.tif 000004